(57)【要約】      （修正有）【課題】  本発明の課題は主として絶縁性の向上と高電圧化にある。【解決手段】  ボビン10は1次巻線部11と2次巻線部12がそれぞれ両端側に形成され、それらの中間にリーケージ部13が配置されている。ボビンの2次巻線部はフランジによって複数のスリットが構成すると線間耐圧を向上できる。ボビン10の中空部にＩ型コア14が挿入され、上側にＥ型コア15が配置される。Ｉ型コア15の両端とＥ型コアの両端の脚部とが接続されて磁気ループが形成される。Ｅ型コア16の中間の脚部はＩ型コアの磁束漏洩部であるリーケージ部13の方向に伸び、Ｉ型コア15と所定の間隔を持って対向するように配置される。この間隔を制御するために、Ｅ型コアの両端の脚部とＩ型コアとの間にスペーサを配置するのが望ましい。【選択図】  図１
2006049460.tif 000002
【特許請求の範囲】
【請求項１】
ボビンの一端側に1次巻線、他端に2次巻線を具えたインバータトランスにおいて、
1次巻線と２次巻線の間に磁束漏洩部を具えたことを特徴とするインバータトランス。
【請求項２】
ボビンの一端側に1次巻線、他端に2次巻線を、ボビンの中空部分にI型コアを具え、I型コアとともに磁気回路を構成するE型コアを具えたインバータトランスにおいて、
I型コアの両端部とE型コアの両端の脚部とが近接して磁気回路を構成し、1次巻線と２次巻線の間にE型コアの中間の脚部と対向する磁束漏洩部を具えたことを特徴とするインバータトランス。
【請求項３】
E型コアの両端の脚部とI型コアの両端部との間にスペーサが配置された請求項２記載のインバータトランス。
【請求項４】
磁束漏洩部のボビンに開口が形成された請求項２記載のインバータトランス。
【請求項５】
複数の並列に配置されたそれぞれのボビンの一端側に1次巻線、他端に2次巻線を、それぞれのボビンの中空部分にI型コアを具え、I型コアとともに磁気回路を構成するE型コアをそれぞれ具えたインバータトランスにおいて、
それぞれのI型コアの両端部とE型コアの両端の脚部とが近接して磁気回路を構成し、それぞれの1次巻線と２次巻線の間にE型コアの中間の脚部と対向する磁束漏洩部を具えたことを特徴とするインバータトランス。
【発明の詳細な説明】
【技術分野】
【０００１】
本発明は、液晶表示装置のバックライト用の冷陰極蛍光管を点灯するためなどに用いられるインバータトランスの構造に係るもので、いわゆる横型のトランス構造に関するものである。
【背景技術】
【０００２】
冷陰極蛍光管等を点灯するための昇圧された電圧を得るためにインバータトランスが用いられる。一般的なインバータトランスは横巻構造で、図３に示したようにボビンに１次巻線と２次巻線を巻回し、ボビンの中空部に挿入したコアと周囲に配置したコアとで磁気回路を構成して高結合型となっている。
【０００３】
このトランスの問題は、レアショート時に過電流が流れてしまうことである。また、高結合なので、入力電圧に比例して出力電圧が決まるので、ランプの開放時と点灯時の電圧制御をバラストコンデンサを用いて行うか電圧制御回路を用いて行う必要がある。
【０００４】
また、図４に示したような縦巻と呼ばれる構造を採用し、また１次側と２次側の巻線との間に漏洩磁束制御用のギャップを設けてレアショート時の電流を軽減することが図られている。また、ランプの開放時と点灯時の電圧制御もトランスの漏洩磁束を利用して行うことができる。ただしその構造から、高電圧の出力を上げるためには絶縁耐圧を向上させることが必要で、底面積を大きくすることが必要となる。
【特許文献１】特開平１０−５５９２号公報
【特許文献２】特開平１１−３２９８号公報
【特許文献３】特開２０００−３８１８号公報
【特許文献４】特開２００３−６８５４０号公報
【発明の開示】
【発明が解決しようとする課題】
【０００５】
液晶表示装置の画面の大型化に対応するために、ランプの本数が増えるとともに部品の実装密度も上がっている。また大型パネルになると高電圧のインバータトランスが要求され、絶縁性の向上、高電圧化、小型化の要求を満たしたインバータトランスの開発が必要となっている。本発明の課題は主として絶縁性の向上と高電圧化にある。
【課題を解決するための手段】
【０００６】
本発明は、絶縁性を向上させるためにスリット巻を採用しやすい横巻の構造を採用するとともに、縦巻で行っている１次側と２次側の巻線の間に漏洩磁束制御用のギャップを配置する構造を採用することによって、リーケージインダクタンスを発生させて安定性を向上させることによって、上記の課題を解決するものである。
【０００７】
すなわち、ボビンの一端側に1次巻線、他端に2次巻線を、ボビンの中空部分にI型コアを具え、I型コアとともに磁気回路を構成するE型コアを具えたインバータトランスにおいて、I型コアの両端部とE型コアの両端の脚部とが近接して磁気回路を構成し、1次巻線と２次巻線の間にE型コアの中間の脚部と対向する磁束漏洩部を具えたことに特徴を有するものである。
【発明の効果】
【０００８】
本発明は、上記の主たる課題を解決するだけでなく、以下のような効果を有する。
（１）２次側の高圧部分を分割できるので十分な線間耐圧を得ることができる。
（２）スリット数（分割数）を増やすことで高電圧対応が容易となる。
（３）漏洩磁束制御用のギャップがあるので自励振、他励振回路のいずれにも使用できる。
（４）細長構造であり、多灯の場合にトランス間隔が広く取れるので、トランス間干渉や、絶縁距離、放熱性のいずれにおいても有利である。
（５）E型コアを上面に配置すれば最小実装面積、側面に配置すれば低背型が実現できる。
（６）出力をマルチとした場合、２次巻線の巻回方向を変えることによって逆相出力も可能となる。
【発明を実施するための最良の形態】
【０００９】
本発明によるインバータトランスの基本的な構成は以下のようになる。
（１）ボビン：２次側を分割して複数のスリットで構成してもよい。
（２）１次巻線
（３）２次巻線
（４）磁束漏洩部（ギャップ）：１次巻線と２次巻線間の巻線の存在しない部分
（５）Ｉ型コア
（６）Ｅ型コア：中間の脚部が磁束漏洩部に対向する。
【実施例】
【００１０】
以下、図面を参照して、本発明の実施例について説明する。図１は、本発明の実施例を示す正面図である。巻線部分は省略してある。ボビン10は1次巻線部11と2次巻線部12がそれぞれ両端側に形成され、それらの中間にリーケージ部13が配置されている。この例ではリーケージ部13はボビンの一部が除去された構造となっている。ボビンの2次巻線部はこの例ではフランジによって５つのスリットが構成されており、2次巻線は分割巻として線間耐圧を向上させている。
【００１１】
ボビン10の中空部にＩ型コア15が挿入され、上側にＥ型コア16が配置される。Ｉ型コア15の両端とＥ型コアの両端の脚部とが接続されて磁気ループが形成される。Ｅ型コア16の中間の脚部はＩ型コアの磁束漏洩部であるリーケージ部13の方向に伸び、Ｉ型コア15と所定の間隔を持って対向するように配置される。この間隔を制御するために、Ｅ型コアの両端の脚部とＩ型コアとの間にスペーサを配置するのが望ましい。そうすれば、スペーサによって間隔を所望の値にすることができる。このリーケージ部13によって漏洩磁束を発生させることによって、電圧を制御するだけでなく自励発振回路とすることも可能となる。
【００１２】
Ｅ型コアの位置は上面でも側面でもよく、上面であれば実装面積を小さくすることができ、側面であれば低背構造が可能となる。また、リーケージ部のボビンはコアを露出させる開口を設ける必要はなく、巻線が存在しないボビンとしてもよい。もちろん、リーケージ部でＥ型コアとＩ型コアとが直接接触することは避けなければならない。
【００１３】
図２はいわゆるマルチ構造の例を示す平面図と正面図である。ボビン20、30は1次巻線部と2次巻線部がそれぞれ両端側に形成され、それらの中間にリーケージ部が配置されている。この例ではリーケージ部はボビンの一部が除去された構造となっている。ボビンの2次巻線部はこの例ではフランジによって５つのスリットが構成されており、2次巻線は分割巻として線間耐圧を向上させている。それぞれのボビンとコアについては図２と同じである。Ｅ型コアは上面に配置する構造となる。このマルチ構造では1次巻線と2次巻線の巻回方向を逆にすれば逆相出力を得ることができる。
【産業上の利用可能性】
【００１４】
本発明は、液晶表示装置のバックライトに用いられる冷陰極蛍光管を点灯するためのインバータトランス等に利用することができる。
【図面の簡単な説明】
【００１５】
【図１】本発明の実施例を示す正面図
【図２】本発明の他の実施を例を示す平面図と正面図
【図３】従来のインバータトランスを示す斜視図
【図４】他の従来のインバータトランスを示す正面断面図
【符号の説明】
【００１６】
10：ボビン
11：１次巻線部
12：２次巻線部
13：リーケージ部
15：Ｉ型コア
16：Ｅ型コア
【図１】
2006049460.tif 000003
【図２】
2006049460.tif 000004
【図３】
2006049460.tif 000005
【図４】
2006049460.tif 000006